(57)【要約】      （修正有）【課題】簡単、かつ確実に摺動剤液をリップ部表面に厚く塗布することができる摺動剤塗布容器を提供する。【解決手段】ワイパーブレード１３のリップ部１３ａ表面に摺動剤を塗布するための摺動剤塗布容器１１であって、上端に開口を設けた摺動剤液を収納する容器１１からなり、前記ワイパーブレード１３のリップ部１３ａの断面形状に対応する切欠部１２を前記容器１１の開口縁部に設け、また切欠部を開口縁部に斜めに設けたことを特徴とする。【選択図】図４
2009241752.tif 000002
【特許請求の範囲】
【請求項１】
ワイパーブレードのリップ部表面に摺動剤を塗布するための摺動剤塗布容器であって、
上端に開口を設けた摺動剤液を収納する容器からなり、前記ワイパーブレードのリップ部の断面形状に対応する切欠部を前記容器の開口縁部に設けたことを特徴とする摺動剤塗布容器。
【請求項２】
切欠部を容器外周面の開口縁部近傍より該容器内周面の開口縁部に亘って斜めに設けたことを特徴とする請求項１に記載の摺動剤塗布容器。
【請求項３】
少なくとも容器の切欠部を構成する部分を変形可能に設けたことを特徴とする請求項１又は２のいずれかに記載の摺動剤塗布容器。
【請求項４】
容器の開口縁部に異なるワイパーブレードのリップ部の断面形状に対応する複数の切欠部を設けたことを特徴とする請求項１〜３のいずれかに記載の洗浄剤組成物。
【発明の詳細な説明】
【技術分野】
【０００１】
本発明は、ワイパーブレードのリップ部表面に摺動剤を塗布するための摺動剤塗布容器に関する。
【背景技術】
【０００２】
車両、航空機、船舶などのフロントガラスやリアガラスには、表面に付着した雨水や泥水等を払拭、除去して視界を良好ならしめるためにワイパー装置が設置されている。このワイパー装置には、ガラス面と接触する部分にワイパブレードが取り付けられている。
【０００３】
ワイパブレードの材料には、天然ゴム、クロロプレンゴム（ＣＲ）、アクリロニトリル−ブタジエンゴム（ＮＢＲ）などの合成ゴム、或いはオレフィン系ポリエステルエラストマーなどの熱可塑性エラストマー（ＴＰＥ）が用いられており、ガラスとワイパブレードとの摩擦により生じるビビリ音（スティックスリップ）が問題となっている。特に、フロントガラスの表面に撥水皮膜が形成されている場合には、摩擦係数が高くなるため、ビビリ音の問題はより顕著なものとなっていた。
【０００４】
そこで、ビビリ音を軽減させることを目的として、ワイパブレードのリップ部表面に、鱗片状グラファイトなどの摺動剤と、この摺動剤をワイパーブレードゴムに付着させるためのウレタンやエポキシなどからなるバインダーと、固形分１００質量部に対して１５０〜１２００質量部の溶剤とを含む摺動剤液をスプレーすることで、ガラスとワイパブレードとの間の摩擦を低減することも提案されている（例えば特許文献１参照）。
【０００５】
【特許文献１】特開２００２−２０６９５号公報
【発明の開示】
【発明が解決しようとする課題】
【０００６】
しかし、ワイパブレードのリップ部表面に摺動剤液をスプレーにより付着させた場合、摺動剤液をリップ部表面に厚く塗布することができないため、長期間に亘ってビビリ音を効果的に防止することができないという不具合があった。
【０００７】
本発明は、このような事情に鑑みなされたものであり、簡単、かつ確実に摺動剤液をリップ部表面に厚く塗布することができる摺動剤塗布容器を提供することを目的とするものである。
【課題を解決するための手段】
【０００８】
上記目的を達成するため、請求項１記載の発明は、ワイパーブレードのリップ部表面に摺動剤を塗布するための摺動剤塗布容器であって、
上端に開口を設けた摺動剤液を収納する容器からなり、前記ワイパーブレードのリップ部の断面形状に対応する切欠部を前記容器の開口縁部に設けたことを特徴とする摺動剤塗布容器をその要旨とした。
【０００９】
請求項２記載の発明は、切欠部を容器外周面の開口縁部近傍より該容器内周面の開口縁部に亘って斜めに設けたことを特徴とする請求項１に記載の摺動剤塗布容器をその要旨とした。
【００１０】
請求項３記載の発明は、少なくとも容器の切欠部を構成する部分を変形可能に設けたことを特徴とする請求項１又は２のいずれかに記載の摺動剤塗布容器を。
【００１１】
請求項４記載の発明は、容器の開口縁部に異なるワイパーブレードのリップ部の断面形状に対応する複数の切欠部を設けたことを特徴とする請求項１〜３のいずれかに記載の洗浄剤組成物。
【発明の効果】
【００１２】
本発明の摺動剤塗布容器は、摺動剤液を収納する容器の開口縁部にワイパーブレードのリップ部の断面形状に対応する切欠部を設けたことから、該容器の切欠部にワイパーブレード先端のリップ部を当接させ、この状態で容器を切欠部側に傾斜させることで、該容器内の摺動剤液面が切欠部側に傾斜し、ワイパーブレード先端のリップ部が摺動剤液に浸積するようになる。そして、この状態でワイパーブレードを前記切欠部に沿って摺動させることで、前記摺動剤液がワイパーブレードのリップ部全体に浸積されるようになっている。このため、本発明の摺動剤塗布容器によれば、簡単、かつ確実に摺動剤液をリップ部表面に厚く塗布することができるとの効果を奏する。
【発明を実施するための最良の形態】
【００１３】
以下、本発明の摺動剤塗布容器を図面に示した一実施の形態に従ってさらに詳しく説明する。本発明は、ワイパーブレードのリップ部表面に摺動剤を塗布するための摺動剤塗布容器（以下、単に容器をいう）に関するものであり、前記ワイパーブレードのリップ部の断面形状に対応する切欠部を前記容器の開口縁部に設けたことで特徴づけられたものである。
【００１４】
図１に示す容器１１は円柱状をなし、その上面が開口１１ａしている。容器１１の素材としては特に限定されず、ポリエチレン、ポリプロピレンなどの合成樹脂、鉄、アルミニウムなどの金属など自由に選択して使用することができる。
【００１５】
この容器１１の形状も、円筒形のほか、楕円柱状、四角柱状、半円状、半円錐状など自由に設計することができる。また、その大きさも任意であり、摺動剤液を塗布するワイパーブレードの長さや大きさ、或いは塗布する頻度に応じて適宜決定すればよい。
【００１６】
図１及び図２に示すように、この容器１１の開口縁部に切欠部１２が設けられている。この切欠部１２は、ワイパーブレード１３のリップ部１３ａの断面形状に対応する形状に設けられている。図３に示すように、切欠部１２にワイパーブレード１３先端のリップ部１３ａを当接させ、この状態で容器１１を切欠部１２側に傾斜させると、該容器１１内の摺動剤液面が切欠部１２側に傾斜する。このとき、切欠部１２に当接されたワイパーブレード１３先端のリップ部１３ａが栓となって、容器１１の切欠部１２から摺動剤液Ｗが流下するのを阻止すると共に、該ワイパーブレード１３先端のリップ部１３ａが摺動剤液Ｗに浸積するようになっている。
【００１７】
そして、この状態で図４中矢印に示すようにワイパーブレード１３を前記切欠部１２に沿って摺動させることで、前記ワイパーブレード１３のリップ部１３ａ全体が前記摺動剤液Ｗに浸積されるようになっている。このような作用効果を奏する切欠部１２としては、図１及び図２に示すように、切欠部１２を容器１１の外周面の開口１２ａ縁部近傍より該容器１１の内周面の開口１２縁部に亘って斜めに設けたことが好ましい。このような形態とすることで、容器１１の切欠部１２を構成する該容器１１の厚み全体がワイパーブレード１３のリップ部１３ａに当接することになり、摺動剤液Ｗの切欠部１２を通じた流下を確実に阻止すると共に安定した状態にワイパーブレード１３を切欠部１２に沿って摺動させることができる。
【００１８】
また、ワイパーブレード１３のリップ部１３ａの断面形状は、メーカーによって様々に異なることから、そのような形状に相違に対応すべく、少なくとも容器１１の切欠部１２を構成する部分を変形可能に設けることが望ましい。具体的には、ゴムなどの弾性材料からなるカバーで切欠部１２を覆ったり、容器全体をゴムなどの弾性を有する素材で構成したりすることを挙げることができる。
【００１９】
ワイパーブレード１３のリップ部１３ａの断面形状がメーカーによって様々に異なることに対応する別の方法としては、図５に示すように、異なるワイパーブレードのリップ部の断面形状に対応する複数の切欠部１２ａ、１２ｂ、１２ｃ、１２ｄを容器１１の開口縁部に設けることである。
【００２０】
また、本発明の摺動剤塗布容器は、図６に示すように、容器１１の開口縁部の切欠部１２と対抗する側１１ａを斜めにカットした形態を採ることができる。このような形態とすることで、容器１１の開口縁部に設けた切欠部１２にワイパーブレード１３先端のリップ部１３ａを当接させ、この状態で容器１１を切欠部１２側に傾斜させたとき、該容器１１内の摺動剤液面が切欠部１２側に傾斜し、ワイパーブレード１３先端のリップ部１３ａが摺動剤液Ｗに浸積するようになり、
この状態でワイパーブレード１３を前記切欠部１２に沿って摺動させて前記摺動剤液Ｗをワイパーブレード１３のリップ部１３ａ全体に浸積させるとき、ワイパーブレード１３の先端が容器１１の開口縁部の切欠部１２と対抗する側１１ａに当たることがなく、スムーズな摺動操作を行うことができる。
【００２１】
また、本発明の摺動剤塗布容器は、図７に示すように、摺動剤液Ｗを収納する容器１１の首部１１ｂに浸積用キャップ１１ｃを取り外し可能に設け、このキャップ１１ｃの開口縁部に切欠部１２を設けた形態を採ることもできる。このような形態とした場合、不使用時には容器１１の首部１１ｂに密栓用キャップ（図示しない）を取り付けておき、使用時には密栓用キャップ（図示しない）を取り外して、浸積用キャップ１１ｃを容器１１の首部１１ｂに取り付けることができ、容器１１の開口縁部に切欠部１２を設けるよりも、該容器１１の製造コストの低減化を図ることができる。尚、浸積用キャップ１１ｃの容器１１の首部１１ｂへの取付形態としては、浸積用キャップ１１ｃの内周面側と容器１１の首部１１ｂの外周面側にそれぞれ対応するネジ溝を形成しておき、浸積用キャップ１１ｃを容器１１の首部１１ｂにネジ締めにより取り付ける方法、或いは浸積用キャップ１１ｃをゴムなどの弾性体によって構成しておき、浸積用キャップ１１ｃを容器１１の首部１１ｂに嵌着させる方法を挙げることができる。
【００２２】
尚、本発明の容器に収納され、ワイパーブレードのリップ部に塗布される摺動剤液としては、例えばグラファイト、ポリテトラフルオロエチレンやオレフィン系ポリエステルエラストマーなどの摺動剤を含む摺動剤液、さらに詳しくは、ウレタンやアクリルなどの合成樹脂と、シランカップリング剤、及び界面活性剤をイソプロピルアルコールやエタノールなどの有機溶剤に添加した液中に上記摺動剤を配合したものを挙げることができる。
【００２３】
尚、本発明の容器は、図面に示したものに限らず、例えば容器の開口にこれを覆うキャップを設けるなど、特許請求の範囲に記載された範囲で自由に変更することができる。
【図面の簡単な説明】
【００２４】
【図１】本発明の容器を示す斜視図。
【図２】同じく本発明の容器を示す断面図。
【図３】本発明の容器の開口縁部に設けた切欠部にワイパーブレードのリップ部を挿入した状態を示す断面図。
【図４】本発明の容器を傾斜させた状態を示す断面図。
【図５】本発明の容器の別の形態を示す斜視図。
【図６】本発明の容器の別の形態を示す断面図。
【図７】本発明の容器の別の形態を示す斜視図。
【符号の説明】
【００２５】
１１ａ・・・開口
１２・・・切欠部
１３・・・ワイパーブレード
１３ａ・・・リップ部
Ｗ  ・・・摺動剤液
【図１】
2009241752.tif 000003
【図２】
2009241752.tif 000004
【図３】
2009241752.tif 000005
【図４】
2009241752.tif 000006
【図５】
2009241752.tif 000007
【図６】
2009241752.tif 000008
【図７】
2009241752.tif 000009
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
ワイパーブレードのリップ部表面に摺動剤を塗布するための摺動剤塗布容器であって、
上端に開口を設けた摺動剤液を収納する容器からなり、前記ワイパーブレードのリップ部の断面形状に対応する切欠部を前記容器の開口縁部に設けたことを特徴とする摺動剤塗布容器。
【請求項２】
切欠部を容器外周面の開口縁部近傍より該容器内周面の開口縁部に亘って斜めに設けたことを特徴とする請求項１に記載の摺動剤塗布容器。
【請求項３】
少なくとも容器の切欠部を構成する部分を変形可能に設けたことを特徴とする請求項１又は２のいずれかに記載の摺動剤塗布容器。
【請求項４】
容器の開口縁部に異なるワイパーブレードのリップ部の断面形状に対応する複数の切欠部を設けたことを特徴とする請求項１〜３のいずれかに記載の摺動剤塗布容器。
【手続補正３】
【補正対象書類名】明細書
【補正対象項目名】００１１
【補正方法】変更
【補正の内容】
【００１１】
請求項３記載の発明は、少なくとも容器の切欠部を構成する部分を変形可能に設けたことを特徴とする請求項１又は２のいずれかに記載の摺動剤塗布容器をその要旨とした。
【手続補正４】
【補正対象書類名】明細書
【補正対象項目名】００１２
【補正方法】変更
【補正の内容】
【００１２】
請求項４記載の発明は、容器の開口縁部に異なるワイパーブレードのリップ部の断面形状に対応する複数の切欠部を設けたことを特徴とする請求項１〜３のいずれかに記載の摺動剤塗布容器をその要旨とした。